(57)【要約】      （修正有）【課題】支台歯形成において、咬合面を同じ形状に容易に形成することができる咬合面形成用バーを提供する。【解決手段】支台歯形成において使用される咬合面形成用バー１０であって、回転器具に接続するためのシャンク１５と、そのシャンクの一端に設けられている作業部１１と、を有し、作業部は、シャンクを回転軸とする回転体形状であって、先端側から順に頭部１１ａ、傾斜面形成部１１ｂ、及び、隅角部形成部１１ｃで構成されており、頭部は、側面の中間位置が回転軸から最も遠くなっている略円板形状であり、傾斜面形成部は、頭部から隅角部形成部に向かって径が一定の割合で小さくなっているテーパー形状であり、隅角部形成部は、傾斜面形成部に滑らかに接続し、シャンクに向かって径が大きくなっている曲面形状であり、頭部の側面中間位置からシャンク側、傾斜面形成部、及び、隅角部形成部のそれぞれの表面には、砥粒が付着していることとする。【選択図】図２
2020000311.tif 000002
【特許請求の範囲】
【請求項１】
支台歯形成において使用される咬合面形成用バーであって、回転器具に接続するためのシャンクと、前記シャンクの一端に設けられている作業部と、を有し、
前記作業部は、前記シャンクを回転軸とする回転体形状であって、先端側から順に頭部、傾斜面形成部、及び、隅角部形成部で構成されており、
前記頭部は、側面の中間位置が回転軸から最も遠くなっている略円板形状であり、
前記傾斜面形成部は、前記頭部から前記隅角部形成部に向かって径が一定の割合で小さくなっているテーパー形状であり、
前記隅角部形成部は、前記傾斜面形成部に滑らかに接続し、前記シャンクに向かって径が大きくなっている曲面形状であり、
前記頭部の側面中間位置からシャンク側、前記傾斜面形成部、及び、前記隅角部形成部のそれぞれの表面には、砥粒が付着していることを特徴とする咬合面形成用バー。
【請求項２】
前記傾斜面形成部のテーパー形状の角度が、回転軸に対して、１０゜以上１２゜以下であることを特徴とする請求項１に記載の咬合面形成用バー。
【請求項３】
前記隅角部形成部が、前記傾斜面形成部から前記シャンクに向けての曲率半径が１．０ｍｍ以上２．０ｍｍ以下の曲面形状であることを特徴とする請求項１又は２に記載の咬合面形成用バー。
【請求項４】
前記頭部の側面中間位置から前記傾斜面形成部と前記隅角部形成部との境界までの距離が２．５ｍｍ以上３．５ｍｍ以下であることを特徴とする請求項１から請求項３のいずれかに記載の咬合面形成用バー。
【発明の詳細な説明】
【技術分野】
【０００１】
本発明は、臼歯の支台歯形成に用いられる咬合面形成用バーに関する。
【背景技術】
【０００２】
虫歯が進行したとき、患歯を研削して支台歯を形成し、その支台歯にクラウンを被せる補綴治療が行われる。支台歯形成では、前歯や臼歯などそれぞれの歯の部位に合わせて特定の支台歯形状に研削される。図４は、臼歯の支台歯を説明する断面図である。支台歯３１の上面は、反対側の歯と噛み合わされる咬合面３２である。咬合面３２は、中央部に中心窩３２ａという溝が通っていて、その中心窩３２ａを挟んだ両側に２０゜〜３０゜程度の角度で上る平面からなる傾斜面３２ｂがあり、傾斜面３２ｂの端部と支台歯３１の側面を繋ぐ滑らかな曲面からなる隅角部３２ｃがある。
【０００３】
中心窩３２ａの中央から隅角部３２ｃまでの距離は、およそ３．０ｍｍである。そして、臼歯３０の場合、歯冠の上面から支台歯３１の咬合面３２までの深さは１．０ｍｍ〜２．５ｍｍである。また、支台歯３１の舌側と頬側の側面どうしのなす角度は、５〜１０゜程度に形成するのがよい。これらは、一般的な臼歯の大きさから決められたサイズである。
【０００４】
支台歯形成においては、患歯の部位や研削位置によって、砥粒が付着した作業部の形状が異なる、数種類の歯科用バーを使用する。図５は、支台歯形成に用いられる歯科用バーの例示である。歯科用バー６０は、回転器具に接続するためのシャンク６５と歯を研削する作業部６１を有している。なお、網目で示した部分は、砥粒が付着している部分である。
【０００５】
図示したように、作業部６１の具体的な形状としては、例えば、球形、円柱型、円錐型、樽型などがあり、図５に例示したもの以外にも様々な作業部形状の歯科用バーが使用される。これらの歯科用バー６０は、研削する位置に合わせて、様々な角度及び押圧力で患歯に当接させることで、支台歯３１を所望の形状に形成することができる。
【０００６】
中心窩は、支台歯の咬合面の中央を通る溝であるが、補綴治療においては、被せたクラウンがずれるのを防止するという役目がある。図６は、中心窩の位置を示す図である。従来の方法で、臼歯３０の中央付近に破線で示した中心窩３２ａを研削により形成するときは、例えば、先の丸い円柱型のバーの先端を歯に押圧させながら、中心窩３２ａを形成する方向に沿って移動させればよい。
【０００７】
しかし、先の丸い円柱型のバーの場合、中心窩３２ａを所望の深さに研削することは難しく、十分な経験や技術力が必要になる。そこで、削り過ぎを防ぐことができる中心窩形成用バーがある。図７は、中心窩形成用バーの使用状況図である。中心窩形成用バー５０は、回転器具に接続するためのシャンク１５と、そのシャンクの一端に設けられ表面に砥粒が付着している作業部５１と、その作業部５１のシャンク側に備えられたストッパ部５２とで構成されている。ここで、作業部５１及びストッパ部５２は、シャンク１５を回転軸とする回転体形状であって、作業部５１は、先端側に球面の一部を有する先端突起部５１ａ、及び、シャンク側に略円柱形状の胴部５１ｂを有し、その先端突起部５１ａと胴部５１ｂは滑らかな曲面で繋がっている。また、ストッパ部５２は略円板形状であって回転軸から最外縁までの距離が胴部５１ｂより大きくなっている。
【０００８】
このような中心窩形成用バー５０を用いると、支台歯３１の咬合面３２において、中心窩３２ａ、及び中心窩３２ａから傾斜面３２ｂへ移行する部分の形状を容易に形成することができる。また、中心窩形成用バー５０は、ストッパ部５２を有しているため、ストッパ部５２を研削していない歯冠上面に当接させたり、ストッパ部５２の位置を目視により確認しながら研削することで、深くまで削り過ぎることを防止することができる。
【０００９】
このようにして、中心窩３２ａを形成した後は、咬合面３２の傾斜面３２ｂや隅角部３２ｃを形成する。図８は、咬合面を均等な深さだけ研削する方法を説明する図である。支台歯の咬合面３２を形成するために、均等な深さだけ研削したい場合は、円錐型のバーの側面を使って、患歯３０の表面から深さ１．０ｍｍ程度のガイドグルーブ３５という溝を数か所入れ、その後、ガイドグルーブ３５どうしの間に残った歯質を研削するという方法が行われる。
【００１０】
また、隅角部３２ｃは曲面なので、直線的な歯科用バーを用いて形成するには、高度な技術が要求される。そこで、曲面を形成するための特別な歯科用バーを用いることがある。図９は、曲面を形成する歯科用バーの例示である。この歯科用バー７０の作業部７１は、支台歯３１の咬合面３２を形成する場合において、特に隅角部３２ｃのような曲面を形成するのに適した形状に製作されている（特許文献１参照）。しかし、このような曲面を有する歯科用バー７０を使用したとしても、隅角部３２ｃを常に同じ形状に形成するためには、高度な技術が必要とされる。
【００１１】
つまり、歯科医が支台歯形成するとき、これらのような方法で数種類の歯科用バーを駆使して、患歯を決められた角度や深さだけ研削しなければならないため、非常に高い技術力が要求されることになる。
【先行技術文献】
【特許文献】
【００１２】
【特許文献１】特許第５６１０９７３号
【発明の概要】
【発明が解決しようとする課題】
【００１３】
このような実情に鑑み、本発明は、支台歯形成において、咬合面を同じ形状に容易に形成することができる咬合面形成用バーを提供することを目的としている。
【課題を解決するための手段】
【００１４】
本発明は、支台歯形成において使用される咬合面形成用バーであって、回転器具に接続するためのシャンクと、そのシャンクの一端に設けられている作業部と、を有し、作業部は、シャンクを回転軸とする回転体形状であって、先端側から順に頭部、傾斜面形成部、及び、隅角部形成部で構成されており、頭部は、側面の中間位置が回転軸から最も遠くなっている略円板形状であり、傾斜面形成部は、頭部から隅角部形成部に向かって径が一定の割合で小さくなっているテーパー形状であり、隅角部形成部は、傾斜面形成部に滑らかに接続し、シャンクに向かって径が大きくなっている曲面形状であり、頭部の側面中間位置からシャンク側、傾斜面形成部、及び、隅角部形成部のそれぞれの表面には、砥粒が付着していることとする。
【００１５】
ここで、傾斜面形成部のテーパー形状の角度が、回転軸に対して、１０゜以上１２゜以下であることにしたり、隅角部形成部が、傾斜面形成部からシャンクに向けての曲率半径が１．０ｍｍ以上２．０ｍｍ以下の曲面形状であることにしたり、頭部の側面中間位置から傾斜面形成部と隅角部形成部との境界までの距離が２．５ｍｍ以上３．５ｍｍ以下であることにしたりするのが好ましい。
【発明の効果】
【００１６】
本発明によれば、支台歯形成において本発明の咬合面形成用バーを用いれば、中心窩を利用して、所定の幅の傾斜面、及び、所定の曲面形状の隅角部を常に同じように形成することができるという効果を奏する。
【図面の簡単な説明】
【００１７】
【図１】本発明に係る咬合面形成用バーである。
【図２】咬合面形成用バーの作業部形状を説明する図である。
【図３】咬合面形成用バーの使用状況図である。
【図４】臼歯の支台歯を説明する図である。
【図５】支台歯形成に用いられる歯科用バーの例示である。
【図６】中心窩の位置を示す図である。
【図７】中心窩形成用バーの使用状況図である。
【図８】咬合面を均等な深さだけ研削する方法を説明する図である。
【図９】曲面を形成する歯科用バーの例示である。
【発明を実施するための形態】
【００１８】
以下、本発明の実施の形態を、添付図面を参照して説明する。
【００１９】
図１は、本発明に係る咬合面形成用バーである。患歯を研削する作業部１１で、砥粒２０が付着している部分は、網目で表している。また、図２は、咬合面形成用バーの作業部形状を説明する図である。
【００２０】
咬合面形成用バー１０は、回転器具に接続するためのシャンク１５と、そのシャンク１５の一端に設けられている作業部１１とで構成されている。ここで、作業部１１は、シャンク１５を回転軸とする回転体形状である。
【００２１】
作業部１１は、先端側から順に頭部１１ａ、傾斜面形成部１１ｂ、及び、隅角部形成部１１ｃで構成されている。頭部１１ａは、側面の中間位置が回転軸から最も遠くなっている略円板形状である。つまり、頭部１１ａの側面は、中間位置が最も膨らんだ円弧などの曲線となっている。傾斜面形成部１１ｂは、頭部１１ａから隅角部形成部１１ｃに向かって径が一定の割合で小さくなっているテーパー形状である。また、隅角部形成部１１ｃは、傾斜面形成部１１ｂに滑らかに接続し、シャンク１５に向かって径が大きくなっている曲面形状である。そして、頭部１１ａの側面中間位置からシャンク側、傾斜面形成部１１ｂ、及び、隅角部形成部１１ｃのそれぞれの表面には、砥粒２０が付着している。つまり、作業部１１において、頭部１１ａの側面中間位置から先端側には、砥粒は付着していないことになる。
【００２２】
頭部１１ａは、咬合面形成用バー１０を用いて咬合面３２を研削する際に、中心窩３２ａに引っ掛ける部分である。つまり、咬合面３２を形成するとき、中心窩３２ａはガイドとして使用され、咬合面形成用バー１０は中心窩３２ａの形成方向に沿って移動させられる。また、傾斜面形成部１１ｂは、研削する傾斜面３２ｂが中心窩３２ａを挟んで両側に２０゜〜３０゜程度の角度で上る平面なので、その角度に合わせた直線的なテーパー形状となっている。なお、隅角部３２ｃは、傾斜面３２ｂから支台歯３１の側面へ滑らかに繋ぐ部分なので、隅角部形成部１１ｃは滑らかな曲面となっている。
【００２３】
次に、作業部１１の各部のサイズを説明する。まず、頭部１１ａは、軸方向の高さＨが０．４〜０．９ｍｍ程度で、側面中間位置における外径が２．５ｍｍ〜３．５ｍｍである。頭部１１ａは、研削の際に中心窩３２ａに引っ掛ける部分なので、頭部１１ａのサイズは、中心窩の幅や深さから決められる。
【００２４】
傾斜面形成部１１ｂのテーパー形状は、回転軸に対する傾斜面形成部１１ｂの表面の角度θを１０゜以上１２゜以下とし、好ましくは１１゜とする。これは、中心窩３２ａから２０゜〜３０゜で上る傾斜面３２ｂを形成する際に、咬合面形成用バー１０を当接させやすい角度として計算されたものである
【００２５】
隅角部形成部１１ｃは、傾斜面形成部１１ｂからシャンク１５に向けての曲率半径Ｒが１．０ｍｍ以上２．０ｍｍ以下の曲面形状とし、好ましくは曲率半径Ｒを１．５ｍｍとするのがよい。これは、隅角部３２ｃの形状から決められたサイズである。
【００２６】
頭部１１ａの側面中間位置から傾斜面形成部１１ｂと隅角部形成部１１ｃとの境界までの距離Ｌは、２．５ｍｍ以上３．５ｍｍ以下とし、好ましくは３．０ｍｍとする。これは、図４で示した通り、中心窩３２ａの中央から隅角部３２ｃまでの距離を３．０ｍｍとするためである。
【００２７】
図３は、咬合面形成用バーの使用状況図である。本発明の咬合面形成用バー１０は、支台歯３１の咬合面３２のほぼ中央に中心窩３２ａが形成されている状態で使用される。なお、中心窩３２ａの形成方法は、従来通りでよいが、図７で示した中心窩形成用バー５０を使用すれば、中心窩を正確かつ容易に形成することができるので、本発明の咬合面形成用バー１０と併用することで、より一層、支台歯形成を容易に行うことを可能とする。
【００２８】
咬合面形成用バー１０を用いれば、作業部１１が咬合面３２の傾斜面３２ｂ及び隅角部３２ｃを同時に研削することができる。つまり、傾斜面形成部１１ｂは直線的なテーパー形状であり、かつ、隅角部形成部１１ｃは所望の曲面で構成されているので、中心窩３２ａに頭部１１ａを引っ掛けて研削すれば、自ずと傾斜面３２ｂ及び隅角部３２ｃが形成される構成になっている。このとき、作業部１１を自在に動かせることとすると、不用意に研削してしまうことがあるので、そのような事態を避けるために、中心窩３２ａをガイドとして咬合面形成用バー１０を中心窩３２ａに沿わせて動かせるようにしている。なお、頭部１１ａの先端面や側面の中間位置から先端側に砥粒を付着させないことで、中心窩３２ａを不必要に研削することを防いでいる。
【００２９】
以上の通り、本発明の咬合面形成用バーを用いると、中心窩を利用して決まった形状の咬合面を容易に形成することが可能となる。
【符号の説明】
【００３０】
１０ 咬合面形成用バー
１１ 作業部
１１ａ 頭部
１１ｂ 傾斜面形成部
１１ｃ 隅角部形成部
１５ シャンク
２０ 砥粒
３０ 患歯（臼歯）
３１ 支台歯
３２ 咬合面
３２ａ 中心窩
３２ｂ 傾斜面
３２ｃ 隅角部
３５ ガイドグルーブ
５０ 中心窩形成用バー
５１ 作業部
５１ａ 先端突起部
５１ｂ 胴部
６０ 歯科用バー
６１ 作業部
６５ シャンク
７０ 歯科用バー
７１ 作業部
【図１】
2020000311.tif 000003
【図２】
2020000311.tif 000004
【図３】
2020000311.tif 000005
【図４】
2020000311.tif 000006
【図５】
2020000311.tif 000007
【図６】
2020000311.tif 000008
【図７】
2020000311.tif 000009
【図８】
2020000311.tif 000010
【図９】
2020000311.tif 000011